(57)【要約】【課題】  防犯レンズ用のレンズカバーを開発すると共に、レンズカバーと防犯レンズをユニット化したレンズカバー付き防犯レンズを提供すること。【解決手段】  防犯レンズＡの室内側端部２０は、ドアＤの室内側に臨むもので、外筒２の外周２１により構成される第１のリング部２２と、この第１のリング部２２の室内側に形成され、且つ、レンズカバー３の取付リング３０の内径３０ａと略同一の外径２３ａを有する第２のリング部２３と、この第２のリング部２３の室内側に形成され、且つ、前記第２のリング部２３の外径２３ａよりも小さい外径２４ａを有するリング溝２４と、その溝２４の室内側に形成され、且つ、前記第２リング部２３の外径２３ａと略同一の外径２５ａを有する第３のリング部２５と、前記リング溝２４に取り付けられた止め輪４と、この止め輪４と前記第１のリング部２２間にその取付リング３０が挟まれた前記レンズカバー３から構成される。【選択図】        図１
2010261146.tif 000002
【特許請求の範囲】
【請求項１】
ドアの室内側に臨む室内側端部を備えた防犯レンズにおいて、
その室内側端部は、第１のリング部と、この第１のリング部の室内側に形成され、且つ、レンズカバーの取付リングの内径と略同一の外径を有する第２のリング部と、この第２のリング部の室内側に形成され、且つ、前記第２のリング部の外径よりも小さい外径を有するリング溝と、そのリング溝の室内側に形成され、且つ、前記第２リング部の外径と略同一の外径を有する最外端リング部とを備えたことを特徴とする防犯レンズ。
【請求項２】
ドアの室内側に臨む室内側端部を備えた防犯レンズにおいて、
その室内側端部は、第１のリング部と、この第１のリング部の室内側に形成され、且つ、前記第１のリングの外径よりも小さい外径を有する幅広リング溝と、その幅広リング溝の室内側に形成され、且つ、レンズカバーの取付リングの内径と略同一の外径を有する最外端リング部を備えたことを特徴とする防犯レンズ。
【請求項３】
ドアの室内側に臨む室内側端部を備えた防犯レンズにおいて、
その室内側端部は、第１のリング部と、この第１のリング部の室内側に形成され、且つ、前記第１のリングの外径よりも小さい外径を有するリング溝と、その溝の室内側に形成され、且つ、リング溝の外径よりも大きな外径を有する最外端リング部とを備えたとことを特徴とする防犯レンズ。
【請求項４】
ドアの室内側に臨む室内側端部を備えた防犯レンズにおいて、
その室内側端部は、第１のリング部と、この第１のリング部の室内側に形成され、且つ、レンズカバーの取付リングの内径と略同一の外径を有する第２のリング部と、
この第２のリング部より室内側に形成され、且つ、第２のリング部の外径と略同一の外径を有するネジ部を備えたことを特徴とする防犯レンズ。
【請求項５】
ドアの室内側に臨む室内側端部を備えた防犯レンズに取り付けられるレンズカバーであって、
該レンズカバーは、前記室内側端部の軸方向に対して、約９０度の方向から、前記室内側端部に跨がせる止め輪と、前記端部を覆うカバー片からなり、
該カバー片は、その外周に設けられた連結片と、止め輪の中央に設けられる連結片を介して、止め輪に対して回動可能に構成されていることを特徴とするレンズカバー。
【請求項６】
ドアの室内側に臨む室内側端部を備えた防犯レンズにおいて、
その室内側端部は、リング部と、このリング部の室外側に形成され、且つ、前記リング部の外径よりも小さい外径を有するリング溝を備えたことを特徴とする防犯レンズ。
【発明の詳細な説明】
【技術分野】
【０００１】
本発明は、ドアの室内から外部の様子を広範囲にわたって観察することができる防犯レンズに関し、特にそのレンズカバー及びレンズカバーとのユニット化（一体化／単体化）が可能な防犯レンズに関する。
【背景技術】
【０００２】
ドアを施錠したまま、室内から訪問者の様子を観察できる防犯レンズは、今日の防犯意識の高まりと共に、その重要性を増している。
【０００３】
その期待に答えるため出願人は防犯レンズのトップメーカーとして、レンズを防犯レンズの入射窓に当てて、防犯レンズを通じて室外から室内の様子を伺う不審者に対処できるような、防犯レンズ用カバー（以下、レンズカバーとも称する）の開発を行った（特許文献１）。
【先行技術文献】
【特許文献】
【０００４】
【特許文献１】特開２００４−１００４５５
【発明の概要】
【発明が解決しようとする課題】
【０００５】
特許文献１には、一枚の金属板等で作られている一枚ドアに用いられる防犯レンズ（以下、「公団用防犯レンズ」とも称する）のためのレンズカバーが開示されていが、しかし、実用性の低いものであった。
今回の主な技術的課題は、公団用防犯レンズに用いられる、実用性の高いレンズカバーを開発することであった。
そこで、本願発明は、「公団用」防犯レンズ用のレンズカバーを開発すると共に、さらに汎用性が高いレンズカバーの提供及びこれらのレンズカバーと防犯レンズとのユニット化の提供を目的とする。
【課題を解決するための手段】
【０００６】
この目的を達成するため、ドアの室内側に臨む室内側端部を備えた防犯レンズにおいて、その室内側端部は、第１のリング部と、この第１のリング部の室内側に形成され、且つ、レンズカバーの取付リングの内径と略同一の外径を有する第２のリング部と、この第２のリング部の室内側に形成され、且つ、前記第２のリング部の外径よりも小さい外径を有するリング溝と、そのリング溝の室内側に形成され、且つ、前記第２リング部の外径と略同一の外径を有する最外端リング部とを備えたことを特徴とする防犯レンズ（請求項１に記載の発明）とした。
【０００７】
上記目的を達成するため、ドアの室内側に臨む室内側端部を備えた防犯レンズにおいて、その室内側端部は、第１のリング部と、この第１のリング部の室内側に形成され、且つ、前記第１のリングの外径よりも小さい外径を有する幅広リング溝と、その幅広リング溝の室内側に形成され、且つ、レンズカバーの取付リングの内径と略同一の外径を有する最外端リング部を備えたことを特徴とする防犯レンズ（請求項２に記載の発明）とした。
【０００８】
上記目的を達成するため、ドアの室内側に臨む室内側端部を備えた防犯レンズにおいて、その室内側端部は、第１のリング部と、この第１のリング部の室内側に形成され、且つ、前記第１のリングの外径よりも小さい外径を有するリング溝と、その溝の室内側に形成され、且つ、リング溝の外径よりも大きな外径を有する最外端リング部とを備えたとことを特徴とする防犯レンズ（請求項３に記載の発明）とした。
【０００９】
上記目的を達成するため、ドアの室内側に臨む室内側端部を備えた防犯レンズにおいて、その室内側端部は、第１のリング部と、この第１のリング部の室内側に形成され、且つ、レンズカバーの取付リングの内径と略同一の外径を有する第２のリング部と、この第２のリング部より室内側に形成され、且つ、第２のリング部の外径と略同一の外径を有するネジ部を備えたことを特徴とする防犯レンズ（請求項４に記載の発明）とした。
【００１０】
上記目的を達成するため、ドアの室内側に臨む室内側端部を備えた防犯レンズに取り付けられるレンズカバーであって、該レンズカバーは、前記室内側端部の軸方向に対して、約９０度の方向から、前記室内側端部に跨がせる止め輪と、前記端部を覆うカバー片からなり、該カバー片は、その外周に設けられた連結片と、止め輪の中央に設けられる連結片を介して、止め輪に対して回動可能に構成されていることを特徴とするレンズカバーとした（請求項５に記載の発明）。
【００１１】
上記目的を達成するため、ドアの室内側に臨む室内側端部を備えた防犯レンズにおいて、
その室内側端部は、リング部と、このリング部の室外側に形成され、且つ、前記リング部の外径よりも小さい外径を有するリング溝を備えたことを特徴とする防犯レンズとした（請求項６に記載の発明）。
【発明の効果】
【００１２】
本発明によれば、汎用性が高いレンズカバーを提供することでき、またこれらと防犯レンズをユニット化することができる。
【図面の簡単な説明】
【００１３】
【図１】実施例１の防犯レンズの断面図である。
【図２】同防犯レンズの分解斜視図である。
【図３】実施例２の防犯レンズの断面図である。
【図４】同防犯レンズの分解斜視図である。
【図５】実施例３の防犯レンズの室内側端部の側面図である。
【図６】実施例４の防犯レンズの室内側端部の側面図である。
【図７】（Ａ）実施例５の防犯レンズの室内側端部の側面図、（Ｂ）同レンズカバーの分解斜視図、（Ｃ）同室内側端部の軸に対する交差面でのリング溝の断面図である。
【図８】実施例６の防犯レンズの室内側端部の側面図である。
【図９】実施例７の防犯レンズの側面図である。
【図１０】同防犯レンズの要部の分解斜視図である。
【図１１】実施例８の防犯レンズの室内側端部の側面図である。
【図１２】（Ａ）実施例９の防犯レンズカバーの斜視図、（Ｂ）同レンズカバーの分解斜視図である。
【図１３】実施例１０の防犯レンズの室内側端部の側面図である。
【図１４】実施例１１の防犯レンズの室内側端部の側面図である。
【発明を実施するための形態】
【実施例】
【００１４】
各実施例は、公団用防犯レンズ及び所謂フラッシュドアと呼ばれている２枚板の厚みのあるダブルドア用のもの（以下、フラッシュドア用防犯レンズとも称する）についての構成例で、上記各図において、各図に付された同一の符号は、同一の構成を示すものである。なお、発明を実施するための形態は、これらの防犯レンズに限定されるものではない。
【実施例１】
【００１５】
実施例１の防犯レンズＡは、図１のように、ドアＤＲに形成された取付孔ＤＲ１を介して、螺合される内筒１及び外筒２からなり、この外筒２は、室内側端部２０を備えると共に、その室内側端部２０にレンズカバー３が防犯レンズＡに一体となって、ユニット化されている。
前記室内側端部２０は、図１及び図２のように、ドアＤＲの室内側に臨むもので、外筒２の外周２１により構成される第１のリング部２２と、この第１のリング部２２の室内側に形成され、且つ、前記レンズカバー３の取付リング３０の内径３０ａと略同一の外径２３ａを有する第２のリング部２３と、この第２のリング部２３の室内側に形成され、且つ、前記第２のリング部２３の外径２３ａよりも小さい外径２４ａを有するリング溝２４と、その溝２４の室内側に形成され、且つ、前記第２リング部２３の外径２３ａと略同一の外径２５ａを有する最外端リング部２５と、前記リング溝２４に取り付けられる止め輪４と、この止め輪４と前記第１のリング部２２間にその取付リング３０が挟まれた前記レンズカバー３から構成される。
【００１６】
防犯レンズＡは、公団用のもので、その内筒１は入射窓となる室外側フランジ部１０、外周に設けられた雄ネジ部１１及び内部にレンズ系１２を収容し、一方、外筒２は覗き窓となる前記室内側端部２０及び内部周面に雌ネジ部２６を備えている。
前記レンズ系１２は、対物レンズとしての凹レンズ１２０，１２１と、接眼レンズとしての凸レンズ１２２からなる。
【００１７】
前記レンズカバー３は、室内側端部２０の覗き窓を覆うカバー片３ａと、このカバー片３ａを防犯レンズＡに取付けるための取付リング３０からなり、これらカバー片３ａ及び取付リング３０の各連結片３１，３２がリベット等を介して、カバー片３ａは取付リング３０に対し、振り子状に回転可能に取付けられている。
【００１８】
前記第１のリング部２２は、その側面２２０により、止め輪４と共に、レンズカバー３の取付リング３０を挟みこむもので、前記取付リング３０の外径３０ｂと略同一の外径２２ｂを備えている。
前記第２のリング部２３は、前記レンズカバー３の取付リング３０の内径３０ａと略同一の外径２３ａを有すると共に、前記取付リング３０の厚さ３０ｔと略同一の高さ２３ｈを備えている。よって、レンズカバー３の取付リング３０を安定的に載置させ、配置することができる。
前記リング溝２４は、前記止め輪４の自由端４０、４０を食込ませるもので、前記止め輪４の厚さ４ｔと略同一の溝幅２４ｈを備えている。よって、止め輪４を安定的に、且つ、回動し難いように取り付けることができるようになっている。
【００１９】
最外端リング部２５は、前記第２のリング部２３の外径２３ａと略同一の外径２５ａを有すること、すなわち、レンズカバー３の取付リング３０の内径３０ａと略同一の外径２５ａを有することから、レンズカバー３の取付リング３０を挿通させることができるようになっている。
なお，符号「２７」は硬貨等を用いて、内外筒１，２を絞付け可能にするための溝である。
【００２０】
前記止め輪４は、クリセント形止め輪と称されるもので、前記室内側端部２０の軸方向に対して、約９０度の方向から、前記リング溝２４に挿入される。
前記止め輪４は、前記第１のリング部２２と共にレンズカバー３の取付リング３０を挟みこむことができるものであれば、この型に限定されるものではない。
【００２１】
以上のように構成された防犯レンズＡにおいては、前記室内側端部２０の最外端リング部２５から、レンズカバー３の取付リング３０を挿通させ、そのリング３０を第２のリング部２３に嵌合させて、第１のリング部２２の側面２２０に押し当てる。そして前記レンズカバー３の各連結片３１，３２を避けつつ、前記リング溝２４に対して、前記止め輪４を前記室内側端部２０の軸方向に対して約９０度の方向から挿入する。
これによって、防犯レンズＡにレンズカバー３が一体となって、ユニット化される。
【００２２】
以上のような構成の防犯レンズＡによれば、次のように作用効果を奏する。
（１）  公団用防犯レンズに相応しいレンズカバーを提供することができる。
（２）  既存のレンズカバー３を利用することで、コストを抑えことができる。
（３）  レンズカバー３が防犯レンズＡと一体となってユニット化されているので、ドアに対する防犯レンズＡの取付に際し、レンズカバー３の取付のための作業が不要となる。
（４）  最外端リング部２５の室内端にレンズカバー３のカバー片３ａを密着させることができる。
【実施例２】
【００２３】
実施例２の防犯レンズＢは、図３及び図４のように、フラッシュドア用防犯レンズで、その室内側端部２０にレンズカバー３をユニット化したものである。
【００２４】
この防犯レンズＢが、前記防犯レンズＡと異なる点は、第１のリング部２２の機能の点で、その他側面２２１は、前記内筒１の室外側フランジ部１０と共に、ドアに密着されるものである。
その他の構成は、実施例１の防犯レンズＡと同様であるため、図３及び図４の主な箇所には、同一の符号を付すると共に、詳細な説明は省略する。
【００２５】
以上のような構成の防犯レンズＢによれば、次のように作用効果を奏する。
（１）  既存のレンズカバー３の構成を利用することで、コストを抑えことができる。
（２）  レンズカバー３が防犯レンズＢと一体となってユニット化されているので、前記外筒２の室外側先端２１ａより、前記取付リング３０をくぐらせる等のレンズカバー３の取付のための作業が不要となり、ドアに対する防犯レンズＡの取付が容易である。
（３）  レンズカバー３の取付リング３０が、第２のリング部２３に固定されている構成ではないので、カバー片３ａの位置調整が容易である。
（４）  第１のリング部２２と、レンズカバー３の取付リング３０と、止め輪４との各外径が略等しいので、シンプルな外形となっている。
（５）  最外端リング部２５の室内端にレンズカバー３のカバー片３ａを密着させることができる。
【実施例３】
【００２６】
実施例３の防犯レンズＣは公団用のもので、図５のように、その室内側端部２０は、第１のリング部２２と、この第１のリング部２２の室内側に形成され、且つ、前記第１のリング２２の外径２２ａよりも小さい外径２８ａを有する幅広リング溝２８と、その溝２８の室内側に形成され、且つ、レンズカバー３の取付リング３０の内径３０ａと略同一の外径２９ａを有する最外端リング部２９を備え、前記リング溝２８に取付けられた止め輪４と、この止め輪４と前記第１のリング部２２間にその取付リング３０が挟まれたレンズカバー３から構成される。
【００２７】
この防犯レンズＣが、実施例１の防犯レンズＡと異なる点は、前記第１のリング部２２を形成せず、また前記リング溝２４に代えて、幅広のリング溝２８に構成したことである。
よって、この幅広リング溝２８の溝幅２８ｔは、前記取付リング３の厚さ３０ｔと止め輪４の厚さ４ｔの合計幅に構成されている。
なお、最外端リング部２９は、前記防犯レンズＡの最外端リング部２５に対応するものである。
その他の構成は、実施例１の防犯レンズＡと同一であるので、同様な作用効果を奏する。
【実施例４】
【００２８】
実施例４の防犯レンズＤは、フラッシュドア用のもので、図６のように、その室内側端部２０にレンズカバー３をユニット化している。
この防犯レンズＤが、実施例３の防犯レンズＣと異なる点は、フラッシュドア用のものとして、第１のリング部２２の他側面２２１は、前記内筒１の室外側フランジ部１０と共に、ドアに密着されるものである。
その他の構成及び効果は、各実施例の防犯レンズと同様であるため、詳細な説明は省略する。
【実施例５】
【００２９】
実施例５の防犯レンズＥは、公団用のもので、図７（Ａ）（Ｂ）のように、その室内側端部２０にレンズカバー３がユニット化されている。
その室内側端部２０は、第１のリング部２２と、この第１のリング部２２の室内側に形成され、且つ、前記第１のリング２２の外径２２ａよりも小さい外径２４ａを有するリング溝２４と、その溝２４の室内側に形成され、且つ、リング溝２４の外径２４ａよりも大きな外径５ａを有する最外端リング部５とすると共に、前記レンズカバー３の取付リング３０に代えて前記止め輪４にカバー３ａを取り付けた前記レンズカバー６が、前記リング溝２４に取り付けられている。
【００３０】
前記最外端リング部５の外径５ａは、第１のリング部２２の外径２２ａと等しいか、それ以下に形成すればよい。
この最外端リング部５から前記レンズカバー６を挿入する必要はないからである。
前記レンズカバー６は、止め輪４の中央上部に連結片３１を設けて、この連結片３１とカバー３ａの連結片３２とを介して、カバー片３ａを止め輪４に対し振り子状に回転可能に構成したものである。
前記レンズカバー６の止め輪４は、前記カバー３ａを取り付けることができるものであれば、クリセント形止め輪に限定されるものではない。例えば室内側端部２０に溝を切る必要がないグリップ形止め輪でもよい。
また、前記リング溝２４の形状は、前記室内側端部２０の全周に亘って円形に形成する必要はなく、図７（Ｃ）のように、前記止め輪４の輪郭に合わせた溝でもよい。かかる構成は、各実施例においも同様である。
【００３１】
以上のような構成の防犯レンズＥは、前記室内側端部２０の前記リング溝２４に対して、前記レンズカバー６の止め輪４を前記室内側端部２０の軸方向に対して約９０度の方向から挿入し、一体化すればよい。
よって、この防犯レンズＥにおいては、予めレンズカバー６を一体化したものをドアに螺着させてもよく、また、内筒１と外筒２をドアに螺着させた後、前記リング溝２４にレンズカバー６の止め輪４を取り付けてもよい。
その他の構成は、上記各実施例と同一であるので、詳細な説明は省略する。
【００３２】
以上のような構成の防犯レンズＥによれば、「公団用」の防犯レンズに相応しく、且つ、前記室内側端部２０の厚さ（室内側の出っ張り幅）を抑えることができるレンズカバーを提供することができる。
その他の効果は、各実施例と同様であるので、詳細は省略する。
【実施例６】
【００３３】
実施例６の防犯レンズＦは、フラッシュドア用防犯レンズで、図８のように室内側端部２０に前記レンズカバー６をユニット化したものである。
この防犯レンズＦが、防犯レンズＥと異なる点は、フラッシュドア用のものとして、第１のリング部２２の他側面２２１は、前記内筒１の室外側フランジ部１０と共に、ドアに密着されるものである。
その他の構成及び効果は、各実施例の防犯レンズと同様であるため、詳細な説明は省略する。
【実施例７】
【００３４】
実施例７の防犯レンズＧは、図９及び図１０のように、公団用防犯レンズで、その室内側端部２０にレンズカバー３がユニット化されている。
その室内側端部２０は、第１のリング部２２と、この第１のリング部２２の室内側に形成され、且つ、レンズカバー３の取付リング３０の内径３０ａと略同一の外径２３ａを有する第２のリング部２３と、この第２のリング部２３より室内側に形成され、且つ、第２のリング部２３の外径２３ａと略同一の外径７ａを有するネジ部としての雄ネジ部７と、このネジ部７に螺着されるナット８と前記第１のリング部２２間にその取付リング３０が挟まれたレンズカバー３から構成される。
【００３５】
この防犯レンズＧでは、ナット８として、６角ナットを用いたが、丸ナットでもよいし、その角数はどうようなものでもよい。
また、上記各実施例で示した硬貨用溝２７は、ネジ部７の室内端に形成することができる。
【００３６】
以上のように構成された防犯レンズＧにおいては、前記室内側端部２０のネジ部７の室内端から、レンズカバー３の取付リング３０を挿通させ、第２のリング部２３の外径２３ａに嵌め合わせる。そして前記リング３０を第１のリング部２２の側面２２０に押し当てると共に、前記ネジ部７にナット８を欽締させればよい。
【００３７】
その他の構成及び効果は、各実施例の防犯レンズと同様であるため、詳細な説明は省略する。
【実施例８】
【００３８】
実施例８の防犯レンズＨは、フラッシュドア用のもので、図１１のように室内側端部２０にレンズカバー３をユニット化したものである。
この防犯レンズＨが、防犯レンズＧと異なる点は、フラッシュドア用のものとして、第１のリング部２２の他側面２２１は、前記内筒１の室外側フランジ部１０と共に、ドアに密着されるものである。
その他の構成及び効果は、各実施例の防犯レンズと同様であるため、詳細な説明は省略する。
【実施例９】
【００３９】
実施例９は、図１２（Ａ）のように、防犯レンズの室内側端部２０に取り付けられるレンズカバーであって、前記レンズカバー６と同様な構成である。
即ち、該レンズカバー６は、前記室内側端部２０の軸方向Ｘ−Ｘ（図１３）に対して、交差する方向、即ち、約９０度の方向から、前記室内側端部２０のリング部９（図１３）の室外側に跨がせる止め輪４と、前記端部２０の覗き窓２０ａを覆うカバー片３ａからなり、該カバー片３ａは、その外周に設けられた連結片３２と、止め輪４の外周４１の中央に設けられ、且つ、前記リング部９の厚さを逃げる折曲片３３が設けられて立上る連結片３１を介して、止め輪４に対して振り子状に回動可能に構成されている。
【００４０】
前記止め輪４は、閉じられた輪ではなく、開放端、即ち、自由端４０、４０を備えたもので、前記室内側端部２０に跨がせることができるようになっている。
前記各連結片３１、３２は、リベット等で、カバー片３ａを振り子状、即ち、前記室内側端部２０の軸方向Ｘ−Ｘに対して交差する方向に回動させるようになっているが、図１２（Ｂ）のように、各連結片３１、３２を輪状にして、これらを軸で取り付けて、カバー片３ａをめくるように、即ち、前記室内側端部２０の軸方向Ｘ−Ｘに沿う方向に回動させるように構成してもよい。
【００４１】
かかる構成のレンズカバー６は、上記各実施例においても、用いることができる。
【００４２】
実施例１０の防犯レンズＩは、図１３のように、その室内側端部２０にリング部９と、このリング部９の室外側に形成され、且つ、前記リング部９の外径９ａよりも小さい外径２４ａを有するリング溝２４を備えている。
防犯レンズＩは、フラッシュドア用防犯レンズであり、そのリング部９は、前記第１のリング部２２と機能を共通にするもので、前記内筒１の室外側フランジ部１０と共に、ドアに密着されるものである。
前記リング溝２４は、前記室内側端部２０を跨がせた前記レンズカバー６の止め輪４を取り付けるもので、外筒２の外径２ａよりも小さな外径２４ａの溝からなる。
この溝２４の深さは、止め輪４を嵌合させることができればよく、例えばその外周４１がリング部９の外周９０と面一になることが好ましいが、これに限定されるものではない。
また、この溝２４を設けずに、上述のように前記止め輪４を前記リング部９の室外側に跨がせてもよい。
なお、防犯レンズＩは上記各フラッシュドア用防犯レンズと同様に、前記止め輪４を前記外筒２のリング部９の室外側に跨がせた状態で、図４のように、その外筒２と内筒１とが螺着されてドアに固定される。
その他の構成及び効果は、上記各実施例と同様である。
【００４３】
実施例１１の防犯レンズＪは、公団用防犯レンズであり、図１４のようにその室内側端部２０にリング部９と、このリング部９の室外側に形成され、且つ、前記リング部９の外径９ａよりも小さい外径２４ａを有するリング溝２４を備えている。
防犯レンズＪの構成及び効果は、上記防犯レンズＩと同様である。
【符号の説明】
【００４４】
Ａ  Ｂ  Ｃ  Ｄ  Ｅ  Ｆ  Ｇ  Ｈ  Ｉ  Ｊ  防犯レンズ
ＤＲ  ドア                              ＤＲ１  取付孔
１  内筒                                １０  室外側フランジ部
１１  雄ネジ部                          １２  レンズ系
１２０  １２１  凹レンズ                １２２  凸レンズ
２  外筒                                ２ａ  外径
２０  室内側端部                        ２０ａ  覗き窓
２１  外周
２２  第１のリング部                    ２２ａ  外径
２２０  側面                            ２２１  他側面
２３  第２のリング部                    ２３ａ  外径
２３ｈ  高さ
２４  リング溝                          ２４ａ  外径
２４ｈ  溝幅
２５  最外端リング部                    ２５ａ  外径
２６  雌ネジ部                          ２７  硬貨用溝
２８  幅広リング溝                      ２８ａ  外径
２８ｔ  幅広リング溝の溝幅
２９  最外端リング部                    ２９ａ  外径
３  レンズカバー                        ３ａ  カバー片
３０  取付リング                        ３０ａ  内径
３０ｂ  外径                            ３０ｔ  取付リングの厚さ
３１  ３２  連結片
４  止め輪                              ４０  ４０  止め輪の自由端
４ｔ  止め輪の厚さ
５  最外端リング部                      ５ａ  外径
６  レンズカバー
７  ネジ部
８  ナット
９  リング部                            ９ａ  外径
９０  外周
【図１】
2010261146.tif 000003
【図２】
2010261146.tif 000004
【図３】
2010261146.tif 000005
【図４】
2010261146.tif 000006
【図５】
2010261146.tif 000007
【図６】
2010261146.tif 000008
【図７】
2010261146.tif 000009
【図８】
2010261146.tif 000010
【図９】
2010261146.tif 000011
【図１０】
2010261146.tif 000012
【図１１】
2010261146.tif 000013
【図１２】
2010261146.tif 000014
【図１３】
2010261146.tif 000015
【図１４】
2010261146.tif 000016